(57)【要約】  引出装置であって、−ロック装置（１３）を備えた引出側壁（９）であって、引出側壁（９）のロック装置（１３）は、少なくとも１つのばね（１３ｂ）によって予荷重をかけられるロックレバー（１３ａ）を有している、引出側壁（９）と、−横方向で引出側壁（９）に接続すべき壁エレメント（５）であって、この壁エレメント（５）は引出側壁（９）に接続された状態で、引出側壁（９）に面した取付け面（２４）と、取付け面（２４）とは反対側の当接面（２５）と、を有している壁エレメント（５）と、−壁エレメント（５）を引出側壁（９）に接続するための、壁エレメント（５）とは別個の少なくとも１つの家具用金具（１４）であって、この少なくとも１つの家具用金具（１４）は、引出側壁（９）のロック装置（１３）のロックレバー（１３ａ）に解除可能にロック可能である、家具用金具（１４）と、を備えており、少なくとも１つの家具用金具（１４）は、壁エレメント（５）が引出側壁（９）に接続された状態で少なくとも所定の領域で、壁エレメント（５）の当接面（２５）に支持されており、これにより、壁エレメント（５）は、家具用金具（１４）が、引出側壁（９）のロック装置（１３）にロックされることにより、引出側壁（９）に保持される。
2021506499.tif 000002
【特許請求の範囲】
【請求項１】
引出装置であって、
ロック装置（１３）を備えた引出側壁（９）であって、前記引出側壁（９）の前記ロック装置（１３）は、少なくとも１つのばね（１３ｂ）によって予荷重をかけられるロックレバー（１３ａ）を有している、引出側壁（９）と、
前記引出側壁（９）に横方向に接続すべき壁エレメント（５）であって、前記壁エレメント（５）は前記引出側壁（９）に接続された状態で、前記引出側壁（９）に面した取付け面（２４）と、前記取付け面（２４）とは反対側の当接面（２５）と、を有している壁エレメント（５）と、
前記壁エレメント（５）を前記引出側壁（９）に接続するための、前記壁エレメント（５）とは別個の少なくとも１つの家具用金具（１４）であって、前記少なくとも１つの家具用金具（１４）は、前記引出側壁（９）の前記ロック装置（１３）の前記ロックレバー（１３ａ）に解除可能にロック可能である、家具用金具（１４）と、
を備えている、引出装置において、
前記少なくとも１つの家具用金具（１４）は、前記壁エレメント（５）が前記引出側壁（９）に接続された状態で少なくとも所定の領域で、前記壁エレメント（５）の前記当接面（２５）に支持されており、これにより、前記壁エレメント（５）は、前記家具用金具（１４）が、前記引出側壁（９）の前記ロック装置（１３）にロックされることにより、前記引出側壁（９）に保持されることを特徴とする、引出装置。
【請求項２】
前記壁エレメント（５）の前記当接面（２５）は、前記引出側壁（９）に接続された状態で、前記引出側壁（９）の長手延在方向で、前記壁エレメント（５）の前記取付け面（２４）から間隔を置いて位置している、請求項１記載の引出装置。
【請求項３】
前記引出側壁（９）は端面（９ａ）を有しており、前記壁エレメント（５）の前記取付け面（２４）は、前記壁エレメント（５）が前記引出側壁（９）に接続された状態で、少なくとも所定の領域で、前記引出側壁（９）の前記端面（９ａ）に当接する、請求項１または２記載の引出装置。
【請求項４】
前記家具用金具（１４）は、前記壁エレメント（５）が前記引出側壁（９）に接続された状態で、前記壁エレメント（５）の前記当接面（２５）にルーズに当接している、請求項１から３までのいずれか１項記載の引出装置。
【請求項５】
前記家具用金具（１４）は、側方に突出する少なくとも１つのウィング（２８ａ，２８ｂ）を有しており、前記ウィングは、前記壁エレメント（５）が前記引出側壁（９）に接続された状態で、前記壁エレメント（５）の前記当接面（２５）に当接しており、好適には、前記少なくとも１つのウィング（２８ａ，２８ｂ）は、前記家具用金具（１４）が前記壁エレメント（５）に接続された状態で、前記壁エレメント（５）の前記当接面（２５）に対してほぼ平行に延在している、請求項１から４までのいずれか１項記載の引出装置。
【請求項６】
前記壁エレメント（５）は、家具用金具（１４）を受容するための少なくとも１つの開口（２３）を有しており、前記家具用金具（１４）は、前記壁エレメント（５）に接続された状態で、少なくとも所定の領域で前記開口（２３）の縁部領域（２３ａ）に当接していて、かつ前記壁エレメント（５）の前記開口（２３）を貫通している、請求項１から５までのいずれか１項記載の引出装置。
【請求項７】
前記少なくとも１つの家具用金具（１４）は、前記壁エレメント（５）の前記当接面（２５）を起点として少なくとも所定の領域で、前記壁エレメント（５）の前記少なくとも１つの開口（２３）を通して案内可能である、請求項６記載の引出装置。
【請求項８】
前記引出装置は、前記壁エレメント（５）をカバーするための少なくとも１つのカバーエレメント（５ａ）を有しており、前記少なくとも１つのカバーエレメント（５ａ）は、前記壁エレメント（５）に取り外し可能に接続可能である、請求項１から７までのいずれか１項記載の引出装置。
【請求項９】
前記カバーエレメント（５ａ）は、少なくとも１つのスナップ結合部（２６）によって前記壁エレメント（５）に取り付けることができる、請求項８記載の引出装置。
【請求項１０】
前記引出側壁（９）は、引出用引き出しガイドを収容するための収容スペース（２９ａ）を有している、請求項１から９までのいずれか１項記載の引出装置。
【請求項１１】
前記壁エレメント（５）は、引出（４）のフロントパネルである、または前記引出（４）のフロントパネルの一部である、請求項１から１０までのいずれか１項記載の引出装置。
【請求項１２】
請求項１から１１までのいずれか１項記載の少なくとも１つの引出装置を備えた引出壁（１１）。
【請求項１３】
前記引出壁（１１）は、第１の壁エレメント（５）と少なくとも１つの第２の壁エレメント（６）とを有しており、前記第１の壁エレメント（５）は、第１の家具用金具（１４）によって、引出（４）の第１の引出側壁（９）に取り付けることができ、前記第２の壁エレメント（６）は第２の家具用金具（１４）によって、前記引出（４）の第２の引出側壁（１０）に取り付けることができる、請求項１２記載の引出壁。
【請求項１４】
前記第１の壁エレメント（５）と前記第２の壁エレメント（６）とは少なくとも１つの壁プロファイル（７）によって互いに接続されており、前記第１の壁エレメント（５）と前記第２の壁エレメント（６）とは前記壁プロファイル（７）と共に、装飾プレート（１５）を収容するための共通の１つのフレームを形成しており、前記装飾プレート（１５）は、組付け状態で少なくとも所定の領域で前記フレームの内側に収容されている、請求項１３記載の引出壁。
【請求項１５】
前記第１の壁エレメント（５）と前記第２の壁エレメント（６）とは、前記壁プロファイル（７）をそれぞれ越えて突出していて、前記装飾プレート（１５）の端部領域を受容するためのそれぞれ少なくとも１つの保持部（２０）を有している、請求項１４記載の引出壁。
【請求項１６】
前記装飾プレート（１５）は、ガラス、木材、プラスチック、金属、セラミック、および／または石材から成っていて、または前記装飾プレート（１５）は少なくとも所定の領域で織物層を有している、請求項１４または１５記載の引出壁。
【請求項１７】
請求項１から１１までのいずれか１項記載の少なくとも１つの引出装置を備えた、または請求項１２から１６までのいずれか１項記載の少なくとも１つの引出壁（１１）を備えた引出（４）。
【請求項１８】
請求項１から１１までのいずれか１項記載の引出装置の引出側壁（９）に壁エレメント（５）を接続する方法であって、以下のステップ、すなわち
−前記壁エレメント（５）とは別個の家具用金具（１４）を準備するステップ、
−前記家具用金具（１４）を前記壁エレメント（５）に接続するステップであって、前記家具用金具（１４）は、前記壁エレメント（５）に接続された状態で、少なくとも所定の領域で前記壁エレメント（５）の当接面（２５）に支持されているステップ、
−前記家具用金具（１４）を前記引出側壁（９）のロック装置（１３）に接続するステップであって、前記壁エレメント（５）の取付け面（２４）は、該壁エレメント（５）が前記引出側壁（９）に接続された状態で、前記引出側壁（９）に面しているステップ、
を特徴とする、方法。
【請求項１９】
前記壁エレメント（５）に前記家具用金具（１４）を接続するときに、前記家具用金具（１４）を、前記壁エレメント（５）の前記当接面（２５）を起点として、前記壁エレメント（５）の少なくとも１つの開口（２３）を通して差し込む、請求項１８記載の方法。
【発明の詳細な説明】
【技術分野】
【０００１】
本発明は、引出装置であって、
ロック装置を備えた引出側壁であって、引出側壁のロック装置は、少なくとも１つのばねによって予荷重をかけられるロックレバーを有している、引出側壁と、
引出側壁に横方向に接続すべき壁エレメントであって、壁エレメントは引出側壁に接続された状態で、引出側壁に面した取付け面と、取付け面とは反対側の当接面と、を有している壁エレメントと、
壁エレメントを引出側壁に接続するための、壁エレメントとは別個の少なくとも１つの家具用金具であって、少なくとも１つの家具用金具は、引出側壁のロック装置のロックレバーに解除可能にロック可能である、家具用金具と、
を備えている引出装置に関する。
【０００２】
さらに本発明は、少なくとも１つのこのような引出装置を備えた引出壁、およびさらに、このような形式の引出装置または上述した形式の少なくとも１つの引出壁を備えた引出に関する。
【０００３】
本発明はさらに、上述した形式の引出装置の引出側壁に壁エレメントを接続する方法に関する。
【０００４】
横方向で互いに接続することができる壁エレメントを備えた引出は、国際公開第２０１３／０６７５５１号、米国特許第４１０８５２０号明細書、および独国実用新案第２０２０１０００７４２７号明細書に示されている。
【０００５】
このような引出装置は多様に公知であり（例えば、本出願人による欧州特許第０７４０９１７号明細書）、フロントパネルを引出側壁に取り付けるために用いられる。このためにはまず、フロントパネルの背面に穴が穿孔され、次いで、フロントパネルに穿孔された穴内にねじをねじ込むことにより、家具用金具が取り付けられる。代替的には、家具用金具をダボによってフロントパネルに取り付けることができ、この場合は、ダボはフロントパネルの穴の内側で拡張可能である。引出側壁は、ばねによって予荷重がかけられた可動なロックレバーを備えたそれぞれ１つのロック装置を有している。フロントパネルに予め取り付けられた家具用金具は、フロントパネルを組み付ける際に、両引出側壁の端面に挿入され、この場合、家具用金具はそれぞれロックレバーの切欠内へと移動する。これにより、引出側壁のロックレバーが作動可能であるので、家具用金具は、ばねの力によって、引出側壁内に引き込まれ、フロントパネルは、引出側壁の端面に向かって押圧可能である。これには、フロントパネルへの家具用金具の組付けには比較的手間がかかるという欠点がある。
【０００６】
本発明の課題は、引出側壁への壁エレメントの確実な取付けが保証されていて、家具用金具の組付けの手間が減じられる、冒頭で述べた形式の引出装置を提案することである。
【０００７】
この課題は、本発明によれば、請求項１の特徴により解決される。本発明のさらに好適な実施形態は、従属請求項に記載されている。
【０００８】
本発明によれば、少なくとも１つの家具用金具は、壁エレメントが引出側壁に接続された状態で少なくとも所定の領域で、壁エレメントの当接面に支持されており、これにより、壁エレメントは、家具用金具が、引出側壁のロック装置にロックされることにより、引出側壁に保持される。
【０００９】
換言すると、家具用金具は、壁エレメントに接続された状態で、壁エレメントの、引出側壁とは反対側の当接面（好適には外面）に支持されていて、したがって壁エレメントは、好適には専ら、家具用金具が引出側壁にロックされることにより位置保持されるので、家具用金具のねじ固定、またはダボによる家具用金具のフロントパネルへの取り付けを省くことができる。
【００１０】
この場合、家具用金具は壁エレメントを少なくとも所定の領域で側方から取り囲むことができる。選択的には、壁エレメントは、家具用金具を受容するための少なくとも１つの開口を有しており、家具用金具は、組付け状態で、少なくとも所定の領域で開口の縁部領域に当接しており、壁エレメントの開口を貫通することができる。
【００１１】
構造的に簡単な構成では、壁エレメントの当接面は、壁エレメントの材料厚さによって、壁エレメントの取付け面から間隔を置いて位置していてよい。
【００１２】
１つの実施例によれば、引出装置は、壁エレメントをカバーするための少なくとも１つのカバーエレメントを有しており、少なくとも１つのカバーエレメントは、壁エレメントに取り外し可能に接続可能であってよい。これは例えば、カバーエレメントが、壁エレメントに接続された状態で、カバーエレメントの材料弾性により保持されることにより、少なくとも１つのスナップ結合によって行われてよい。
【００１３】
好適な実施例によれば、壁エレメントは、引出のフロントパネルである、または引出のフロントパネルの一部である。
【００１４】
上述した形式の引出装置の引出側壁に壁エレメントを接続する方法は、以下のステップ、すなわち
−壁エレメントとは別個の家具用金具を準備するステップ、
−家具用金具を壁エレメントに接続するステップであって、家具用金具は、壁エレメントに接続された状態で、少なくとも所定の領域で壁エレメントの当接面に支持されているステップ、
−家具用金具を引出側壁のロック装置に接続するステップであって、壁エレメントの取付け面は、引出側壁に接続された状態で、引出側壁に面しているステップ、
を特徴とする。
【００１５】
本発明のその他の詳細および利点は、以下の図面の説明につき詳しく説明する。
【図面の簡単な説明】
【００１６】
【図１】家具本体に対して相対的に移動可能に支持されている引出を備えた家具を示す斜視図である。
【図２】引出を示す斜視図である。
【図３ａ】僅かに変更された実施形態の引出を示す図である
【図３ｂ】僅かに変更された実施形態の引出のフロント引出壁の分解図である
【図４ａ】家具用金具およびカバーを備えた壁エレメントを示す斜視図である。
【図４ｂ】家具用金具およびカバーを備えた壁エレメントを示す別の斜視図である。
【図４ｃ】家具用金具およびカバーを備えた壁エレメントを示すさらに別の斜視図である。
【図５ａ】家具用金具を備えた壁エレメントを示す横断面図である。
【図５ｂ】引出の可能な別の実施例を概略的に上方から示す図である。
【図５ｃ】引出の可能なさらに別の実施例を概略的に上方から示す図である。
【００１７】
図１には、家具本体２を備えた棚状の家具１が示されており、引出３ａ，３ｂ，４は、引出用引き出しガイド（図示せず）を介して家具本体２に対して相対的に移動可能に支持されている。両引出３ａ，３ｂのフロントパネルは、引出３ａ，３ｂの閉鎖位置で、家具本体２の端面２ａに当接している。これに対して引出４は、いわゆる内引出として形成することができ、この場合、（両壁エレメント５，６と、これら壁エレメント５，６を接続する壁プロファイル７とから形成される）フロント引出壁１１は、引出４の閉鎖位置で端面２ａに当接しているのではなく、家具本体２の両側壁間に配置されている。引出４は、引出底面８と側壁９，１０とを有しており、引出４は閉鎖位置で、下側の引出３ｂの高いフロントパネルによって遮蔽可能である。
【００１８】
図２には、引出４の斜視図が示されており、引出４は、第１の引出側壁９と、第２の引出側壁１０と、引出底面８と、背壁１２とを有している。側壁９，１０は、それぞれ、中空室プロファイルとして形成されており、その内部には、自体公知のように、引出壁１１を取り外し可能にロックするためのロック装置１３が配置されている。ロック装置１３は、少なくとも１つのばね１３ｂによって予荷重をかけられるロックレバー１３ａを含み、このロックレバーは、引出壁１１の家具用金具１４に解除可能にロック可能である。引出壁１１を組み付けるために、家具用金具１４はそれぞれ、側壁９，１０の前方の端部領域内に挿入され、これによりロック装置１３のロックレバー１３ａが作動可能であり、引出壁１１は、ばね１３ｂの力によって、側壁９，１０の端面９ａ，１０ａに向かって引っぱられる。このようなロック装置１３は、従来技術（例えば、冒頭で述べた欧州特許第０７４０９１７号明細書）により広く公知であり、ここでこれ以上説明する必要はない。壁エレメント５，６はそれぞれ、（例えばプラスチックまたは金属から成る）カバーエレメント５ａ，５ｂにより遮蔽可能である。引出側壁９，１０はそれぞれ、引出用引き出しガイドを収容するための収容スペース２９ａ，２９ｂを有しているので、引出側壁９，１０はそれぞれ、引出用引き出しガイドの引き出し可能なガイドレールに接続可能である。
【００１９】
図３ａには、僅かに変更された実施形態の引出４の斜視的な部分図が示されている。フロント引出壁１１は、第１の壁エレメント５と第２の壁エレメント６とを有しており、これらの壁エレメントはそれぞれ真ん中の壁プロファイル７を越えて突出しており、真ん中の壁プロファイル７と共に、装飾プレート１５を収容するための１つのフレームを形成しており、装飾プレート１５は、組付け状態で少なくとも所定の領域でフレームの内側に収容されている。引出側壁９はさらに、前方の保持装置１９ａと後方の保持装置１９ｂとを有しており、これら保持装置の間にプレート状の挿入体１７が収容されている。装飾プレート１５および／またはプレート状の挿入体１７は、ガラス、木材、プラスチック、金属、セラミック、および／または石材から成っていてよく、または少なくとも所定の領域で織物層を有していてよい。プレート状の挿入体１７の上方には、フロント引出壁１１と背壁１２との間に延在するレールステー１６が配置されている。
【００２０】
図３ｂには、引出壁１１が分解図で示されている。第１の壁エレメント５と第２の壁エレメント６とは、それぞれ壁プロファイル７を越えて突出しており、装飾プレート１５の端部領域を受容するための少なくとも１つの保持部２０を有している。図示した実施例では、保持部２０が挿入開口として形成されており、この挿入開口は装飾プレート１５の組付け状態では、装飾プレート１５の端部領域の側面をそれぞれ、好適には完全に取り囲んでいる。壁エレメント５，６は、互いに鏡像対称的に形成されているので、ここで行われる説明はそれぞれ両壁エレメント５，６に当てはまる。壁エレメント５，６はそれぞれ横方向に突出した舌片２７を有しており、この舌片は、壁エレメント５，６を壁プロファイル７にねじ固定するねじ２２を貫通させるための穴を備えている。壁エレメント５，６は、引出側壁９，１０に面した取付け面２４と、取付け面２４とは反対側の当接面２５とを有しており、家具用金具１４は、壁エレメント５，６が引出側壁９，１０に接続された状態で少なくとも所定の領域で、壁エレメント５，６の当接面２５に支持されているので、壁エレメント５，６は、家具用金具１４と、引出側壁９，１０のロック装置１３とのロックにより、引出側壁９，１０に保持されている。壁エレメント５，６は、図示した実施例では、家具用金具１４を受容するためのそれぞれ１つの開口２３を有しており、家具用金具１４は組付け状態で、少なくとも所定の領域で開口２３の縁部領域２３ａ（図４ａ）に例えばルーズであるとしても当接しており、壁エレメント５，６の開口２３を貫通している。このようにして、壁エレメント５，６は、家具用金具１４が、引出側壁９，１０のロック装置１３にロックされることにより、引出側壁９，１０の端面９ａ，１０ａに向かって引っぱられ、これにより引出側壁９，１０に対して相対的に位置固定される。壁エレメント５，６に配置された接続ピン２１により、レールステー１６の前方の端部領域が位置固定可能である。
【００２１】
図４ａには、壁エレメント５が引出側壁９とは反対側の当接面２５側で示されており、この当接面には、接続状態で家具用金具１４が支持される。壁エレメント５は、縁部領域２３ａを有した開口２３を有しており、この縁部領域には、家具用金具１４が少なくとも所定の領域で支持されている。家具用金具１４は、側方に突出する少なくとも１つのウィング２８ａ，２８ｂを有していてよく、これらのウィングは接続状態で、開口２３の縁部領域２３ａに支持される。家具用金具１４と壁エレメント５とが意図に反して解除されるのを阻止するために、家具用金具１４を壁エレメント５に付加的にさらに、係止接続部によって固定することができる。少なくとも１つの家具用金具１４は、壁エレメント５の当接面２５から始まって少なくとも所定の領域で、壁エレメント５の少なくとも１つの開口２３を通して案内可能である。
【００２２】
図４ｂには、壁エレメント５内に挿入された家具用金具１４が示されており、この場合、ウィング２８ａ，２８ｂは、壁エレメント５の当接面２５に支持されている。開口２３の縁部領域２３ａは、エンボス加工部の形態の凹部として形成することができるので、家具用金具１４のウィング２８ａ，２８ｂは、壁部分５の当接面２５とほぼ同一平面を成す。少なくとも１つのスナップ結合部２６を介して壁エレメント５に位置固定可能であるカバーエレメント５ａ（図４ｃ）により、壁エレメント５の開口２３を遮蔽することができる。家具用金具１４の少なくとも１つのウィング２８ａ，２８ｂは、家具用金具１４が壁エレメント５に接続された状態で、壁エレメント５の当接面２５に対してほぼ平行に延在しており、これにより極めてコンパクトな構造が生じ、家具用金具１４は、平坦に形成されたカバーエレメント５ａによって問題なく遮蔽される。
【００２３】
図５ａには、壁エレメント５が、この壁エレメントに当接している家具用金具１４と共に横断面図で示されている。壁エレメント５は、組付け状態で引出側壁９，１０に面した取付け面２４と、この取付け面２４とは反対側の当接面２５とを有しており、家具用金具１４は、好適には少なくとも１つのウィング２８ｂで当接面２５に支持されている。壁エレメント５の当接面２５と、家具用金具１４のウィング２８ｂとが互いに同一平面で延在していることがわかり、これにより、当接面２５と家具用金具１４との間には、障害となる衝突縁は形成されていない。
【００２４】
図５ｂには、壁エレメント５と、側壁９，１０と、背壁１２とを備えた引出４が概略的に平面図で示されている。図５ｂに示した実施例では、家具用金具１４は、壁エレメント５の端部領域を取り囲んでおり、壁エレメント５の当接面２５は、壁エレメント５の前方の可視面によって形成されている。図示した実施例では、壁エレメント５の当接面２５は、壁エレメント５の取付け面２４から、壁エレメント５の材料厚さの間隔を置いて位置している。家具用金具１４はそれぞれ、側壁９，１０のロック装置１３に解除可能にロック可能である。
【００２５】
図５ｃには、別の実施形態が示されており、この場合、家具用金具１４は、壁エレメント５の側方の凹部に係合しており、壁エレメント５の当接面２５は、壁エレメント５の凹部の内面により形成されている。
【００２６】
全ての実施形態では、壁エレメント５の当接面２５は、引出側壁９，１０に接続された状態で、引出側壁９，１０の長手延在方向で、壁エレメント５の取付け面２４から間隔を置いて位置している。
【図１】
2021506499.tif 000003
【図２】
2021506499.tif 000004
【図３ａ】
2021506499.tif 000005
【図３ｂ】
2021506499.tif 000006
【図４ａ】
2021506499.tif 000007
【図４ｂ】
2021506499.tif 000008
【図４ｃ】
2021506499.tif 000009
【図５ａ】
2021506499.tif 000010
【図５ｂ】
2021506499.tif 000011
【図５ｃ】
2021506499.tif 000012
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
引出装置であって、
ロック装置（１３）を備えた引出側壁（９）であって、前記引出側壁（９）の前記ロック装置（１３）は、少なくとも１つのばね（１３ｂ）によって予荷重をかけられるロックレバー（１３ａ）を有している、引出側壁（９）と、
前記引出側壁（９）に横方向に接続すべき壁エレメント（５）であって、前記壁エレメント（５）は前記引出側壁（９）に接続された状態で、前記引出側壁（９）に面した取付け面（２４）と、前記取付け面（２４）とは反対側の当接面（２５）と、を有している壁エレメント（５）と、
前記壁エレメント（５）を前記引出側壁（９）に接続するための、前記壁エレメント（５）とは別個の少なくとも１つの家具用金具（１４）であって、前記少なくとも１つの家具用金具（１４）は、前記引出側壁（９）の前記ロック装置（１３）の前記ロックレバー（１３ａ）に解除可能にロック可能である、家具用金具（１４）と、
を備えている、引出装置において、
前記少なくとも１つの家具用金具（１４）は、前記壁エレメント（５）が前記引出側壁（９）に接続された状態で少なくとも所定の領域で、前記壁エレメント（５）の前記当接面（２５）に支持されており、これにより、前記壁エレメント（５）は、前記家具用金具（１４）が、前記引出側壁（９）の前記ロック装置（１３）にロックされることにより、前記引出側壁（９）に保持されることを特徴とする、引出装置。
【請求項２】
前記壁エレメント（５）の前記当接面（２５）は、前記引出側壁（９）に接続された状態で、前記引出側壁（９）の長手延在方向で、前記壁エレメント（５）の前記取付け面（２４）から間隔を置いて位置している、請求項１記載の引出装置。
【請求項３】
前記引出側壁（９）は端面（９ａ）を有しており、前記壁エレメント（５）の前記取付け面（２４）は、前記壁エレメント（５）が前記引出側壁（９）に接続された状態で、少なくとも所定の領域で、前記引出側壁（９）の前記端面（９ａ）に当接する、請求項１または２記載の引出装置。
【請求項４】
前記家具用金具（１４）は、前記壁エレメント（５）が前記引出側壁（９）に接続された状態で、前記壁エレメント（５）の前記当接面（２５）にルーズに当接している、請求項１から３までのいずれか１項記載の引出装置。
【請求項５】
前記家具用金具（１４）は、側方に突出する少なくとも１つのウィング（２８ａ，２８ｂ）を有しており、前記ウィングは、前記壁エレメント（５）が前記引出側壁（９）に接続された状態で、前記壁エレメント（５）の前記当接面（２５）に当接しており、好適には、前記少なくとも１つのウィング（２８ａ，２８ｂ）は、前記家具用金具（１４）が前記壁エレメント（５）に接続された状態で、前記壁エレメント（５）の前記当接面（２５）に対してほぼ平行に延在している、請求項１から４までのいずれか１項記載の引出装置。
【請求項６】
前記壁エレメント（５）は、家具用金具（１４）を受容するための少なくとも１つの開口（２３）を有しており、前記家具用金具（１４）は、前記壁エレメント（５）に接続された状態で、少なくとも所定の領域で前記開口（２３）の縁部領域（２３ａ）に当接していて、かつ前記壁エレメント（５）の前記開口（２３）を貫通している、請求項１から５までのいずれか１項記載の引出装置。
【請求項７】
前記少なくとも１つの家具用金具（１４）は、前記壁エレメント（５）の前記当接面（２５）を起点として少なくとも所定の領域で、前記壁エレメント（５）の前記少なくとも１つの開口（２３）を通して案内可能である、請求項６記載の引出装置。
【請求項８】
前記引出装置は、前記壁エレメント（５）をカバーするための少なくとも１つのカバーエレメント（５ａ）を有しており、前記少なくとも１つのカバーエレメント（５ａ）は、前記壁エレメント（５）に取り外し可能に接続可能である、請求項１から７までのいずれか１項記載の引出装置。
【請求項９】
前記カバーエレメント（５ａ）は、少なくとも１つのスナップ結合部（２６）によって前記壁エレメント（５）に取り付けることができる、請求項８記載の引出装置。
【請求項１０】
前記引出側壁（９）は、引出用引き出しガイドを収容するための収容スペース（２９ａ）を有している、請求項１から９までのいずれか１項記載の引出装置。
【請求項１１】
前記壁エレメント（５）は、引出（４）のフロントパネルである、または前記引出（４）のフロントパネルの一部である、請求項１から１０までのいずれか１項記載の引出装置。
【請求項１２】
前記取付け面（２４）とは反対側の前記当接面（２５）は、前記取付け面（２４）の向かい側に位置する、請求項１から１１までのいずれか１項記載の引出装置。
【請求項１３】
請求項１から１２までのいずれか１項記載の少なくとも１つの引出装置を備えた引出壁（１１）。
【請求項１４】
前記引出壁（１１）は、第１の壁エレメント（５）と少なくとも１つの第２の壁エレメント（６）とを有しており、前記第１の壁エレメント（５）は、第１の家具用金具（１４）によって、引出（４）の第１の引出側壁（９）に取り付けることができ、前記第２の壁エレメント（６）は第２の家具用金具（１４）によって、前記引出（４）の第２の引出側壁（１０）に取り付けることができる、請求項１３記載の引出壁。
【請求項１５】
前記第１の壁エレメント（５）と前記第２の壁エレメント（６）とは少なくとも１つの壁プロファイル（７）によって互いに接続されており、前記第１の壁エレメント（５）と前記第２の壁エレメント（６）とは前記壁プロファイル（７）と共に、装飾プレート（１５）を収容するための共通の１つのフレームを形成しており、前記装飾プレート（１５）は、組付け状態で少なくとも所定の領域で前記フレームの内側に収容されている、請求項１４記載の引出壁。
【請求項１６】
前記第１の壁エレメント（５）と前記第２の壁エレメント（６）とは、前記壁プロファイル（７）をそれぞれ越えて突出していて、前記装飾プレート（１５）の端部領域を受容するためのそれぞれ少なくとも１つの保持部（２０）を有している、請求項１５記載の引出壁。
【請求項１７】
前記装飾プレート（１５）は、ガラス、木材、プラスチック、金属、セラミック、および／または石材から成っていて、または前記装飾プレート（１５）は少なくとも所定の領域で織物層を有している、請求項１５または１６記載の引出壁。
【請求項１８】
請求項１から１２までのいずれか１項記載の少なくとも１つの引出装置を備えた、または請求項１３から１７までのいずれか１項記載の少なくとも１つの引出壁（１１）を備えた引出（４）。
【請求項１９】
請求項１から１２までのいずれか１項記載の引出装置の引出側壁（９）に壁エレメント（５）を接続する方法であって、以下のステップ、すなわち
−前記壁エレメント（５）とは別個の家具用金具（１４）を準備するステップ、
−前記家具用金具（１４）を前記壁エレメント（５）に接続するステップであって、前記家具用金具（１４）は、前記壁エレメント（５）に接続された状態で、少なくとも所定の領域で前記壁エレメント（５）の当接面（２５）に支持されているステップ、
−前記家具用金具（１４）を前記引出側壁（９）のロック装置（１３）に接続するステップであって、前記壁エレメント（５）の取付け面（２４）は、該壁エレメント（５）が前記引出側壁（９）に接続された状態で、前記引出側壁（９）に面しているステップ、
を特徴とする、方法。
【請求項２０】
前記壁エレメント（５）に前記家具用金具（１４）を接続するときに、前記家具用金具（１４）を、前記壁エレメント（５）の前記当接面（２５）を起点として、前記壁エレメント（５）の少なくとも１つの開口（２３）を通して差し込む、請求項１９記載の方法。
【国際調査報告】
2021506499.tif 000013
2021506499.tif 000014
2021506499.tif 000015
2021506499.tif 000016